(57)【要約】【課題】刈取部のメンテナンス性が良いコンバインを提供する。【解決手段】機体前部に設けられて圃場の植立穀稈を刈り取る刈取部が備えられたコンバインであって、刈取部に、植立穀稈を引き起こす引起装置と、引起装置を支持する刈取フレーム１１と、引起装置の左右両側のそれぞれに設けられたサイドカバーと、各サイドカバーに設けられたカバー用開口部２３に配置される前照灯カバー２４と、前照灯カバー２４に設けられた前照灯用開口部２５，２６に配置される前照灯３１，３２を構成するライトユニットと、前照灯カバー２４及びライトユニットが個別に着脱可能な前照灯ブラケット４０と、が備えられ、前照灯ブラケット４０が、刈取フレーム１１に支持されている。【選択図】図８
2019110764.tif 000002
【特許請求の範囲】
【請求項１】
機体前部に設けられて圃場の植立穀稈を刈り取る刈取部が備えられたコンバインであって、
前記刈取部に、植立穀稈を引き起こす引起装置と、
前記引起装置を支持する刈取フレームと、
前記引起装置の左右両側のそれぞれに設けられたサイドカバーと、
前記各サイドカバーに設けられたカバー用開口部に配置される前照灯カバーと、
前記前照灯カバーに設けられた前照灯用開口部に配置される前照灯を構成するライトユニットと、
前記前照灯カバー及びライトユニットが個別に着脱可能な前照灯ブラケットと、が備えられ、
前記前照灯ブラケットが、前記刈取フレームに支持されているコンバイン。
【請求項２】
前記前照灯カバーにおける上下方向に離間した位置に、複数の前記前照灯用開口部が設けられ、
各前記前照灯用開口部に、前記ライトユニットが一つずつ配置され、
前記前照灯ブラケットは、各前記ライトユニットを個別に着脱可能である請求項１に記載のコンバイン。
【請求項３】
前記前照灯用開口部の開口寸法は、前記ライトユニットの外径寸法よりも大きいように構成されている請求項１又は２に記載のコンバイン。
【請求項４】
前記前照灯カバーは、前記カバー用開口部の周縁部の裏面に係止可能なフランジ部を有する請求項１から３のいずれか一項に記載のコンバイン。
【発明の詳細な説明】
【技術分野】
【０００１】
本発明は、機体前部に設けられて圃場の植立穀稈を刈り取る刈取部が備えられたコンバインに関する。
【背景技術】
【０００２】
自脱型コンバインは、機体の下部に備えられた左右一対のクローラ式の走行装置と、機体の前端部に支持された刈取部と、機体の上部に搭載された脱穀部とを備えており、機体を走行させながら刈取作業を行うが、この作業はしばしば薄暮時に及ぶことがあって、操縦席における機台の操向が困難となるので、前方を照射するために前照灯が設けられている。
【０００３】
例えば、特許文献１には、刈取部の両端に前照灯を設けたコンバインが開示されている。このコンバインにおいては、刈取部に備えられた引起装置の左右にサイドカバーが設けられ、両サイドカバーの上部のそれぞれに上下に並んで二つの前照灯が設けられている。これらの前照灯は、光源としてのハロゲンライトと、ハロゲンライトからの投光を反射するリフレクタ部と、がサイドカバーの所定位置に設けられた前照灯用開口部に組み込まれ、この前照灯用開口部を覆うように大きな透光カバー部が設けられて構成されている。
【先行技術文献】
【特許文献】
【０００４】
【特許文献１】特開２００６−００６３１９号公報
【発明の概要】
【発明が解決しようとする課題】
【０００５】
このようなコンバインは、サイドカバーに前照灯が支持されるとともに、サイドカバーを刈取フレームに取り付けたあとに前照灯の配線をする構成であるため、サイドカバーの着脱のたびに、前照灯の配線をしなおす必要があり、作業が煩雑であるという問題があった。
【０００６】
本発明は上記実情に鑑みてなされたものであって、刈取部のメンテナンス性が良いコンバインを提供することを目的とする。
【課題を解決するための手段】
【０００７】
上述の目的を達成するための、本発明に係るコンバインの特徴構成は、機体前部に設けられて圃場の植立穀稈を刈り取る刈取部が備えられたコンバインであって、前記刈取部に、植立穀稈を引き起こす引起装置と、前記引起装置を支持する刈取フレームと、前記引起装置の左右両側のそれぞれに設けられたサイドカバーと、前記各サイドカバーに設けられたカバー用開口部に配置される前照灯カバーと、前記前照灯カバーに設けられた前照灯用開口部に配置される前照灯を構成するライトユニットと、前記前照灯カバー及びライトユニットが個別に着脱可能な前照灯ブラケットと、が備えられ、前記前照灯ブラケットが、前記刈取フレームに支持されている点にある。
【０００８】
上述の構成によると、前照灯を構成するライトユニット及び前照灯カバーがサイドカバーに支持されるのではなく、前照灯を構成するライトユニット及び前照灯カバーが取り付けられた状態の前照灯ブラケットが刈取フレームに取り付けられる構成であるため、ライトユニットを配線したまま、サイドカバーのみを着脱することができるため、メンテナンス性が良い。
【０００９】
なお、本発明における、「開口」とは、広義の意味に用いられるものであり、「穴」や「切欠」などを含むものとする。
【００１０】
本発明においては、前記前照灯カバーにおける上下方向に離間した位置に、複数の前記前照灯用開口部が設けられ、各前記前照灯用開口部に、前記ライトユニットが一つずつ配置され、前記前照灯ブラケットは、各前記ライトユニットを個別に着脱可能であると好適である。
【００１１】
上述の構成によると、複数あるライトユニットが前照灯ブラケットに対して個別に着脱可能であることから、一部のライトユニットのみを交換することができる。
【００１２】
本発明においては、前記前照灯用開口部の開口寸法は、前記ライトユニットの外径寸法よりも大きいように構成されていると好適である。
【００１３】
上述の構成によると、前照灯ブラケットを刈取フレームに取り付けた状態のまま、ライトユニットのみを前照灯用開口部を介して着脱することができるため、ライトユニットの交換作業がしやすい。前照灯用開口部の開口寸法は、ライトユニットの外径寸法よりも、ライトユニットを通し得る分だけ大きいと好ましい。
【００１４】
本発明においては、前記前照灯カバーは、前記カバー用開口部の周縁部の裏面に係止可能なフランジ部を有すると好適である。
【００１５】
上述の構成によると、前照灯カバーに被せるようにサイドカバーを取り付けると、フランジ部がカバー用開口部の周縁部の裏面に係止され、前照灯カバーは、サイドカバーのカバー用開口部に対して自動的に位置決めされる。なお、カバー用開口部と前照灯カバーとの間に大きな隙間があると、この隙間からサイドカバー内に穀稈が入る虞があるが、フランジ部を設けたことによりこれを防止することができる。フランジ部は、前照灯カバーの全周に亘って備えられていてもよいし、一部に備えられていてもよい。また、前照灯カバーは、カバー用開口部の周縁部の裏面に係止する構成であることから、サイドカバーは前照灯カバーの外に備えられる。したがって、前照灯カバーを取り付けた状態のまま、サイドカバーを取り外すことで、第一前照灯や第二前照灯の周囲を広くあけることができるため、メンテナンスの作業性が向上する。
【図面の簡単な説明】
【００１６】
【図１】コンバインの側面図
【図２】コンバインの平面図
【図３】コンバインの正面図
【図４】刈取部の正面図
【図５】刈取部の側面図
【図６】前照灯の正面図
【図７】前照灯の斜視図
【図８】側面視における前照灯ブラケットの説明図
【図９】平面視における前照灯ブラケットの説明図
【図１０】背面視における前照灯ブラケットの説明図
【図１１】側面視における前照灯の照射範囲を示す説明図
【図１２】平面視における前照灯の照射範囲を示す説明図
【発明を実施するための形態】
【００１７】
以下、本発明の実施形態を図面に基づいて説明する。以下の説明において、図１における矢印Ｆで示す方向が「前」であり、矢印Ｂで示す方向が「後」である。図２の矢印Ｒで示す方向が「右」であり、矢印Ｌで示す方向が「左」である。機体幅方向とは機体１の左右に沿った方向である。
【００１８】
図１から図３に示すように、穀稈などを収穫するコンバインは、機体１の下部にクローラ式の走行装置２が設けられ、機体１の右前部に運転座席３ａなどが装備された搭乗型の運転部３が設けられ、機体１の内部には、運転座席３ａの下方に原動機４が設けられ、機体前方に植立穀稈を刈り取る刈取部１０が設けられ、機体１の後部に刈取穀稈を脱穀する脱穀装置５と、脱穀された穀粒を貯留する穀粒タンク６が設けられている。
【００１９】
刈取部１０に、刈取フレーム１１が備えられており、刈取フレーム１１に刈取対象条の植立穀稈を分草案内する複数の分草具１２と、分草具１２の後方において刈取対象条の植立穀稈を刈り取るために引き起こす引起装置１３と、引き起こされた植立穀稈の株元を切断する刈取刃１４を有する切断装置と、刈取穀稈を機体後方に向けて搬送する搬送装置１５などが支持されている。
【００２０】
刈取部１０の刈取フレーム１１は、機体１に対して、水平軸心まわりに揺動自在に連結されている。刈取部１０は、リフトシリンダ（図示せず）を伸縮操作することによって刈取フレーム１１を昇降させ、作業姿勢と非作業姿勢とに姿勢変更が可能である。作業姿勢は、図１において実線で示すように、分草具１２や刈取刃１４などが圃場から１ｃｍから数ｃｍ程度の高さに位置された姿勢であり、非作業姿勢は、図１において二点鎖線で示すように、分草具１２や刈取刃１４などが作業姿勢における圃場からの高さよりも高くに位置された姿勢である。
【００２１】
刈取部１０を作業姿勢にしたまま機体１を前進させると、複数の分草具１２によって植立穀稈が刈り取り対象と非刈り取り対象とに分草され、かつ植立穀稈が条毎に分草され、刈り取り対象の植立穀稈が引起し経路に導入される。本実施形態においては、図２に示すように、刈取部１０は、七つの分草具１２と、六つの引起装置が備えられ、六条刈りが可能である。ただし、刈取部１０は、六条刈りに限らず、何条刈りであってもよい。
【００２２】
各分草具１２からの植立穀稈は、各条に対応する引起装置１３によって引起し処理されるとともに刈取刃１４によって刈り取られ、刈取穀稈が搬送装置１５によって機体後方の脱穀装置５に搬送される。
【００２３】
脱穀装置５は、脱穀フィードチェーン（図示せず）によって刈取穀稈の株元側を機体後方側に挟持搬送しながらその植立穀稈の穂先側を扱室（図示せず）に供給して脱穀処理する。穀粒タンク６は、脱穀装置５からの脱穀粒を回収して貯留していく。
【００２４】
〔サイドカバー〕
図４及び図５に示すように、刈取部１０の刈取フレーム１１の刈幅方向の左右両側のそれぞれにサイドカバー２０が着脱自在に設けられている。左右いずれのサイドカバー２０も、機械的強度と耐候性を有する樹脂、例えばＰＰ、ＰＥ、又はＡＢＳ樹脂等を所定形状に形成されている。
【００２５】
左右いずれのサイドカバー２０の前向き面も、引起装置１３の機体前方向きの前面に沿うように、上端ほど機体後方に位置するように傾斜した傾斜面になっている。
【００２６】
左右いずれのサイドカバー２０も、下部カバー２１と、この下部カバー２１とは別部品である上部カバー２２とから構成されている。
【００２７】
刈取フレーム１１の下部カバー２１に対応する部分には、刈取部１０の各部の潤滑油の注油タンク１６や注油ポンプ（図示せず）などが設けられており、下部カバー２１は、注油タンク１６等に対するメンテナンス性を向上させるために、刈取フレーム１１及び下部カバー２１のそれぞれに設けられた一対の係合部材を係合状態と係合解除状態とに切換え操作するだけで容易に着脱することができるように構成されている。
【００２８】
上部カバー２２は、下部に、下部カバー２１の外側面よりも内側にへこんだ凹部２２ａが、下部カバー２１の上端に沿って、後ろ上がりの状態で備えられている。また、上部カバー２２のうち凹部２２ａよりも上側部分は、下部カバー２１の外側面よりも外側に向けて膨出している。
【００２９】
この上部カバー２２の膨出部２２ｂに第一前照灯３１及び第二前照灯３２が設けられている。したがって、第一前照灯３１及び第二前照灯３２は、サイドカバー２０の上部に設けられている。
【００３０】
具体的には、図６から図１０に示すように、上部カバー２２の膨出部２２ｂは、平面視において内側から外側にかけて機体１の斜め後方に向かう傾斜面を有し、この傾斜面に縦長のカバー用開口部２３が設けられている。
【００３１】
このカバー用開口部２３に前照灯カバー２４が配置され、前照灯カバー２４における上下方向に離間した位置に、上側に位置する第一前照灯用開口部２５及び下側に位置する第二前照灯用開口部２６が設けられている。前照灯カバー２４は、機械的強度と耐候性を有する樹脂、例えばＰＰ、ＰＥ、又はＡＢＳ樹脂等を所定形状に加工することによって形成されている。
【００３２】
第一前照灯用開口部２５及び第二前照灯用開口部２６は、第一前照灯用開口部２５及び第二前照灯用開口部２６の開口寸法が、第一前照灯３１や第二前照灯３２の外径寸法よりも、第一前照灯３１や第二前照灯３２を通し得る分だけ大きいように構成されている。
【００３３】
〔前照灯〕
第一前照灯用開口部２５に第一前照灯３１が配置され、第二前照灯用開口部２６に第二前照灯３２が配置されている。したがって、第一前照灯３１及び第二前照灯３２は、第一前照灯３１が第二前照灯３２の上方に位置する状態で上下に離間した位置に並べて個別に配置されている。
【００３４】
第一前照灯３１及び第二前照灯３２はそれぞれ、光を発光する光源部（図示せず）と、該光源部から照射された光を反射するリフレクタ部（図示せず）と、前記光源及び前記リフレクタ部を収容する第一ハウジング部３１Ａ及び第二ハウジング部３２Ａ、該リフレクタ部を第一透光カバー部３１Ｂ及び第二透光カバー部３２Ｂとを一体的に有するライトユニットから構成されている。第一透光カバー部３１Ｂ及び第二透光カバー部３２Ｂは透光性を有する樹脂、例えばポリカーボネートを所定形状に加工することによって形成されている。
【００３５】
上部カバー２２には、カバー用開口部２３の全面を覆うような透光カバー部が備えられないため、第一前照灯３１及び第二前照灯３２は、投光部、すなわち第一透光カバー部３１Ｂ及び第二透光カバー部３２Ｂが機体前方に露出する状態で配置される。
【００３６】
なお、第一前照灯３１及び第二前照灯３２に備えられた光源部は、ＬＥＤモジュールであり、距離２５ｍにおいて１ｌｘ照度（すなわち輝度６２５ｃｄ）程度、かつ、光軸３１Ｃ，３２Ｃから左右に３０〜３５度程度、例えば３２度、かつ、上下に２０〜２５度程度、例えば２２度の照射角度を有するものが好ましく用いられる。
【００３７】
第一前照灯３１及び第二前照灯３２は、上述の範囲内において輝度６２５ｃｄを満足するように照明するのであるが、上記範囲のみを照明するわけではなく、上記範囲の周囲も上記範囲内に劣るが照明する。図１１及び図１２においては、第一前照灯３１の光軸３１Ｃ及び第二前照灯３２の光軸３２Ｃを実線で示し、輝度６２５ｃｄを満足する範囲を二点鎖線で示し、その範囲の周囲であっても第一前照灯３１及び第二前照灯３２によって照明される範囲を薄い網掛けで示している。
【００３８】
図８に示すように、第一前照灯３１を構成するライトユニットが有する第一透光カバー部３１Ｂ及び第二前照灯３２を構成するライトユニットが有する第二透光カバー部３２Ｂは、それぞれが、前照灯カバー２４の第一前照灯用開口部２５の第一開口縁２５Ａ及び第二前照灯用開口部２６の第二開口縁２６Ａよりも、光の照射方向の前方に突出するように配置されている。したがって、前照灯カバー２４が、第一前照灯３１及び第二前照灯３２からの投光を遮らないようになっている。
【００３９】
第一前照灯３１及び第二前照灯３２は、ライトユニットから構成されているため、上部カバー２２にライトユニット毎に個別に着脱可能に構成することができることからメンテナンス性がよい。また、第一前照灯３１及び第二前照灯３２にそれぞれ第一透光カバー部３１Ｂ及び第二透光カバー部３２Ｂが備えられた構成であるため、第一透光カバー部３１Ｂ及び第二透光カバー部３２Ｂの面積を狭くすることができるので、植立穀稈の穂先が接触したり、稈屑や土埃が付着する虞が少ない。
【００４０】
なお、第一前照灯３１及び第二前照灯３２は、第一前照灯３１及び第二前照灯３２が点灯する両灯火状態と、第一前照灯３１又は第二前照灯３２のいずれか一方のみが点灯する片灯火状態とが、切り替え自在に構成されている。
【００４１】
例えば、刈り取り作業時には、第一前照灯３１及び第二前照灯３２によって広範囲に亘って照明することで作業性を向上させ、路上走行時には、第一前照灯３１又は第二前照灯３２のいずれか一方のみによって照明することで省エネを図ることができるといった運用が可能となっている。なお、第一前照灯３１及び第二前照灯３２は両方とも消灯させることもできるように構成されている。
【００４２】
〔照射方向及び照射範囲〕
図１１及び図１２に示すように、第一前照灯３１の光軸３１Ｃは、第二前照灯３２の光軸３２Ｃよりも、機体幅方向の内側を向くように構成され、第二前照灯３２の光軸３２Ｃは、第一前照灯３１の光軸３１Ｃよりも、機体幅方向の外側を向くように構成されている。また、作業状態において、第二前照灯３２は、第二前照灯３２の光軸３２Ｃが第一前照灯３１の光軸３１Ｃよりも下側を向くように配置されている。第二前照灯３２よりも高い位置にある第一前照灯３１によって機体前方の遠方を照明することができ、第一前照灯３１よりも圃場に近い位置にある第二前照灯３２によって、しっかりと機体に近い部分を明るく照明できる。
【００４３】
具体的には、第一前照灯３１の光軸３１Ｃは、機体前方に対して５度の傾斜角度で機体幅方向の内側を向き、機体前方に対して３度の傾斜角度で機体１の下側を向いた姿勢となるように備えられている。
【００４４】
第二前照灯３２の光軸３２Ｃは、機体前方に対して１６度の傾斜角度で機体幅方向の外側を向き、機体前方に対して１９．５度の傾斜角度で機体１の下側を向いた姿勢となるように備えられている。
【００４５】
第一前照灯３１は、機体前方よりも機体幅方向の内側を主に照明し、第二前照灯３２は、機体前方よりも機体幅方向の外側を主に照明することができるので、第一前照灯３１と第二前照灯３２との照明範囲の重なりが少なく、広範囲に亘って照明することができる。
【００４６】
図６に示すように、第一前照灯３１は、第一前照灯３１の投光部、すなわち第一透光カバー部３１Ｂが、第二前照灯３２の投光部、すなわち第二透光カバー部３２Ｂよりも機体幅方向の内側に位置するように配置されている。作物が長稈であっても、第二前照灯３２よりも高い位置に設けられ、植立穀稈の影になりにくい第一前照灯３１によって内側を照明し、かつ、第一前照灯３１よりも低い位置に設けられ、正面を照明すると、長稈の影になりかねない第二前照灯３２によって外側を照明することで、第一前照灯３１と第二前照灯３２との高さが上下に異なることを上手く利用して、圃場をまんべんなく、かつ効率よく照明できる。
【００４７】
光軸３１Ｃがより機体幅方向の内側を向くように構成された第一前照灯３１のほうが、第二前照灯３２よりも上方に配置されているため、第一前照灯３１からの投光が植立穀稈の穂先によって遮られにくく、刈り取り対象となる、刈取部の直前の植立穀稈の生育状態や圃場の状態を視認しやすい。また、第一前照灯３１の照明範囲３１Ｄは、第二前照灯３２の照射範囲３２Ｄよりも広くなることから、刈り取り対象となる植立穀稈や圃場をより照明することができる。
【００４８】
左右の第一前照灯３１は、両照明範囲３１Ｄによって、機体前方を刈取部１０の刈幅の全幅に亘るように配置されている。左右の第一前照灯３１によって、機体前方が刈取部１０の刈幅の全幅に亘って照明されるため、刈幅内の植立穀稈の生育状態や圃場の状態を視認しやすい。
【００４９】
少なくとも第一前照灯３１又は第二前照灯３２のいずれかによって、分草具１２の一部、好ましくは先端部が照明されるため、刈り取り対象である植立穀稈と既刈地との境界や、刈り取り対象である植立穀稈と未刈地の植立穀稈との境界を視認しやすい。
【００５０】
〔前照灯カバー〕
図６から図８に示すように、前照灯カバー２４は、第一前照灯用開口部２５の前方下方に、第一前照灯３１の光軸３１Ｃの方向よりも前下がりの第一傾斜面２７Ａが設けられている。同様に、前照灯カバー２４は、第二前照灯用開口部２６の前方下方に、第二前照灯３２の光軸３２Ｃの方向よりも前下がりの第二傾斜面２８Ａが設けられている。第一前照灯３１及び第二前照灯３２の前方において、前下がりの傾斜面を設けたことにより、前照灯カバー２４に稈屑や土埃が積もりにくい。第二傾斜面２８Ａは、第一傾斜面２７Ａよりも前下がりであるため、第二前照灯３２の光軸３２Ｃを、第一前照灯３１の光軸３１Ｃよりも下側に向けることができて、第一前照灯３１よりも圃場に近い位置にある第二前照灯３２によって、しっかりと機体に近い部分を明るく照明できる。
【００５１】
前照灯カバー２４は、前照灯カバー２４における第一前照灯用開口部２５の前方上方に、第一前照灯３１の投光部、すなわち第一透光カバー部３１Ｂよりも機体前方へ突出する第一庇状部２７Ｂが設けられ、前照灯カバー２４における第二前照灯用開口部２６の前方上方に、第二前照灯３２の投光部、すなわち第二透光カバー部３２Ｂよりも機体前方へ突出する第二庇状部２８Ｂが設けられている。第一庇状部２７Ｂ及び第二庇状部２８Ｂの存在によって第一前照灯３１及び第二前照灯３２は前方上方が覆われるため、雨水やサイドカバーについた水分が第一透光カバー部３１Ｂや第二透光カバー部３２Ｂにかかりにくくいため、濡れた第一透光カバー部３１Ｂや第二透光カバー部３２Ｂに穀稈が触れて稈屑や土埃が付着する事態を防止できる。
【００５２】
第一庇状部２７Ｂ及び第二庇状部２８Ｂは、第一庇状部２７Ｂや第二庇状部２８Ｂは、第一前照灯３１や第二前照灯３２の前方上方を覆って保護しながらも、第一前照灯３１や第二前照灯３２からの投光を遮ることがないように、機体幅方向の内側部分から外側部分にかけて機体後方かつ上方に向けて延びる形状に構成されている。穀稈は、第一庇状部２７Ｂ及び第二庇状部２８Ｂに沿って機体後方の上方へとスムーズに案内されるため、脱粒の虞が低減される。
【００５３】
さらに、前照灯カバー２４は、前照灯カバー２４における第一前照灯用開口部２５の機体幅方向の内側に、上部カバー２２の表面に沿って上下に延びて第一庇状部２７Ｂの機体幅方の内側部分に連なる第一縦壁部２７Ｃが設けられ、前照灯カバー２４における第二前照灯用開口部２６の機体幅方向の内側に、上部カバー２２の表面に沿って上下に延びて第二庇状部２８Ｂの機体幅方の内側部分に連なる第二縦壁部２８Ｃが設けられている。
【００５４】
第一前照灯３１は、第一傾斜面２７Ａと第一庇状部２７Ｂと第一縦壁部２７Ｃとに連続的に囲まれ、第二前照灯３２は、第二傾斜面２８Ａと第二庇状部２８Ｂと第二縦壁部２８Ｃとに連続的に囲まれるため、植立穀稈の穂先が接触する虞が低減されている。植立穀稈の穂先は、第一庇状部２７Ｂ及び第一縦壁部２７Ｃ、第二庇状部２８Ｂ及び第二縦壁部２８Ｃに沿って機体後方の上方へとスムーズに案内されるため、脱粒の虞が低減されている。
【００５５】
〔前照灯ブラケット〕
図８から図１０に示すように、前照灯カバー２４や、第一前照灯３１及び第二前照灯３２は、前照灯ブラケット４０を介して刈取フレーム１１のブラケットステー１７に取り付けられる。
【００５６】
前照灯ブラケット４０は、第一前照灯３１や第二前照灯３２を個別に着脱可能なライトステー４１，４２や、前照灯カバー２４が着脱可能なカバーステー４３を有する部材である。前照灯ブラケット４０、ライトステー４１，４２及びカバーステー４３は、ステンレス鋼のような耐食性のある金属から構成された形材を所定形状に加工することによって形成されている。なお、ライトステー４１，４２は、第一前照灯３１や第二前照灯３２の投光の方向調節が可能に支持する構成であってもよい。
【００５７】
前照灯カバー２４や、第一前照灯３１及び第二前照灯３２が取り付けられた状態の前照灯ブラケット４０を、刈取フレーム１１に取り付ける構成であるため、第一前照灯３１及び第二前照灯３２を配線したまま、上部カバー２２のみを着脱することができるように構成されている。
【００５８】
なお、前照灯カバー２４は、カバー用開口部２３の周縁部の裏面に係止可能なフランジ部２４Ａを有する。前照灯カバー２４に被せるように上部カバー２２を取り付けると、フランジ部２４Ａがカバー用開口部２３の周縁部の裏面に係止され、前照灯カバー２４は、上部カバー２２のカバー用開口部２３に対して自動的に位置決めされる。前照灯カバー２４の位置決めのために螺子を用いる必要がない。
【００５９】
なお、カバー用開口部２３と前照灯カバー２４との間に大きな隙間があると、この隙間から上部カバー２２内に穀稈が入る虞があるが、フランジ部２４Ａを設けたことによりこれを防止することができる。なお、フランジ部２４Ａは、前照灯カバー２４の全周に亘って備えられていてもよいし、一部に備えられていてもよい。
【００６０】
上部カバー２２は、第一前照灯３１及び第二前照灯３２が取り付けられた状態のままで着脱できるため、上部カバー２２を刈取フレーム１１から取り外すと、ライトステー４１，４２がむき出しになり、第一前照灯３１や第二前照灯３２を交換することができるため、メンテナンス性が良い。
【００６１】
第一前照灯用開口部２５の開口寸法及び第二前照灯用開口部２６は、第一前照灯３１や第二前照灯３２の外径寸法よりも大きいように構成されてあり、前照灯カバー２４を前照灯ブラケット４０に取り付けたままの状態であっても、第一前照灯３１や第二前照灯３２は個別に着脱することができるように構成されている。第一前照灯３１や第二前照灯３２の交換作業が容易である。なお、交換作業は、上部カバー２２が取り外された状態で行われる。
【００６２】
第一前照灯３１及び第二前照灯３２を刈取部１０に取り付ける際には、前照灯ブラケット４０のライトステー４１，４２に第一前照灯３１や第二前照灯３２を取り付け、その後、カバーステー４３に前照灯カバー２４を取り付ける。この一体化された前照灯ブラケット４０を、刈取フレーム１１に設けられたブラケットステー１７に取り付け、最後に上部カバー２２を取り付ける。分解は逆の手順で行われる。
【００６３】
なお、前照灯カバー２４に、第一前照灯３１及び前記第二前照灯３２に並んで、車幅灯や方向指示器が配置されていてもよい。車幅灯や方向指示器も前照灯ブラケット４０に支持される。
【００６４】
〔別実施形態〕
上述した実施形態においては、第一前照灯３１の光軸３１Ｃは、機体前方よりも機体幅方向の内側を向くように構成され、第二前照灯３２の光軸３２Ｃは、機体前方よりも機体幅方向の外側を向くように構成されている場合について説明下が、これに限らない。第一前照灯３１の光軸３１Ｃは、機体前方よりも機体幅方向の外側を向くように構成され、第二前照灯３２の光軸３２Ｃは、機体前方よりも機体幅方向の内側を向くように構成されていてもよい。
【００６５】
上述下実施形態においては、第一前照灯３１は、第一前照灯３１の投光部が第二前照灯３２の投光部よりも機体幅方向の内側に位置するように配置されている場合について説明したが、これに限らない。第一前照灯３１は、第一前照灯３１の投光部が第二前照灯３２の投光部よりも機体幅方向の外側に位置するように配置されてもよいし、第一前照灯３１の投光部が第二前照灯３２の投光部の直上に位置するように配置されてもよい。
【００６６】
上述の実施形態においては、第二前照灯３２は、第二前照灯３２の光軸３２Ｃが第一前照灯３１の光軸３１Ｃよりも下側を向くように配置されている場合について説明したが、これに限らない。第一前照灯３１が、第一前照灯３１の光軸３１Ｃが第二前照灯３２の光軸３２Ｃよりも下側を向くように配置されていてもよいし、第一前照灯３１の光軸３１Ｃと第二前照灯３２の光軸３２Ｃが平行であってもよい。
【００６７】
上述の実施形態においては、少なくとも第一前照灯３１又は第二前照灯３２のいずれかは、少なくとも分草具１２の一部を照明するように構成されている場合について説明したが、これに限らない。少なくとも第一前照灯３１又は第二前照灯３２のいずれかは、少なくとも分草具１２の全部を照明してもよいし、第一前照灯３１及び第二前照灯３２は、分草具１２を照明しなくてもよい。
【００６８】
上述の実施形態においては、左右の第一前照灯３１は、機体前方を刈取部１０の刈幅の全幅に亘って照明するように配置されている場合について説明したが、これに限らない。左右の第一前照灯３１は、機体前方を刈取部１０の刈幅の一部を照明するように配置されていてもよい。
【００６９】
上述の実施形態においては、第一前照灯３１及び第二前照灯３２は、それぞれの透光カバー部３１Ｂ，３２Ｂが機体前方に露出する状態で配置されている場合について説明したが、これに限らない。第一前照灯３１及び第二前照灯３２の前面が一つの透光カバー部によって覆われる構成であってもよい。
【００７０】
上述した実施形態においては、第一前照灯３１及び第二前照灯３２が有する光源部はそれぞれＬＥＤモジュールである構成について説明したが、これに限らない。第一前照灯３１又は第二前照灯３２の少なくともいずれか一方の光源部がハロゲンライトであってもよい。
【００７１】
上述した実施形態においては、上部カバー２２の膨出部２２ｂは、平面視において内側から外側にかけて機体１の斜め後方に向かう傾斜面を有し、この傾斜面に縦長のカバー用開口部２３が設けられている構成について説明したが、これに限らない。上部カバー２２は機体１の前方を向いた面と、側方を向いた面を有し、これらの面の角部にカバー用開口部２３が設けられていてもよい。また、カバー用開口部２３は、上部カバー２２に設けられた機体１の前方を向いた面に設けられてもよい。さらに、カバー用開口部２３は、上部カバー２２に上方を向いて設けられていてもよい。
【００７２】
上述した実施形態においては、サイドカバー２０は、下部カバー２１と、下部カバー２１とは別部材の上部カバー２２とから構成されていたが、これに限らない。サイドカバー２０は下部カバー２１と上部カバー２２が一体的に構成されていてもよい。
【００７３】
上述した実施形態においては、前照灯用開口部２５，２６の開口寸法は、第一前照灯３１及び第二前照灯３２の外径寸法よりも大きいように構成されている場合について説明したが、これに限らない。前照灯用開口部２５，２６の開口寸法が、第一前照灯３１及び第二前照灯３２の外径寸法より小さくてもよい。
【００７４】
上述した実施形態においては、前照灯カバー２４は、カバー用開口部２３の周縁部の裏面に係止可能なフランジ部２４Ａを有する場合について説明したが、これに限らない。前照灯カバー２４は、フランジ部２４Ａを有していなくてもよい。
【００７５】
上述した実施形態においては、第一透光カバー部３１Ｂ及び第二透光カバー部３２Ｂは、第一前照灯用開口部２５の第一開口縁２５Ａ、及び、第二前照灯用開口部２６の第二開口縁２６Ａよりも、光の照射方向の前方に突出するように配置されている場合について説明したが、これに限らない。
【００７６】
上述した実施形態においては、前照灯カバー２４に第一傾斜面２７Ａ及び第二傾斜面２８Ａが設けられている場合について説明したが、これに限らない。また、第二傾斜面２８Ａは、第一傾斜面２７Ａ及びよりも前下がりである場合について説明したが、これに限らない。これらは第一前照灯３１の光軸３１Ｃ及び第二前照灯３２の光軸３２Ｃの方向に応じて適宜設定される。
【００７７】
上述した実施形態においては、前照灯カバー２４に、機体幅方向の内側部分から外側部分にかけて機体後方かつ上方に向けて延びる形状の第一庇状部２７Ｂ及び第二庇状部２８Ｂが設けられ場合について説明したが、これに限らない。
【００７８】
上述した実施形態においては、前照灯カバー２４に第一縦壁部２７Ｃ及び第二縦壁部２８Ｃが設けられている場合について説明したが、これに限らない。
【００７９】
上述した実施形態においては、第一前照灯３１及び第二前照灯３２の二つのライトユニットを備える場合について説明したが、ライトユニットは、単数、又は三つ以上の複数であってもよい。
【００８０】
上述した実施形態は、いずれも本発明の一例であり、該記載により本発明が限定されるものではなく、各部の具体的構成は本発明の作用効果が奏される範囲で適宜変更設計可能である。
【符号の説明】
【００８１】
１          ：機体
１０        ：刈取部
１１        ：刈取フレーム
１３        ：引起装置
２０        ：サイドカバー
２２        ：上部カバー
２３        ：カバー用開口部
２４        ：前照灯カバー
２４Ａ      ：フランジ部
２５        ：第一前照灯用開口部
２６        ：第二前照灯用開口部
４０        ：前照灯ブラケット
【図１】
2019110764.tif 000003
【図２】
2019110764.tif 000004
【図３】
2019110764.tif 000005
【図４】
2019110764.tif 000006
【図５】
2019110764.tif 000007
【図６】
2019110764.tif 000008
【図７】
2019110764.tif 000009
【図８】
2019110764.tif 000010
【図９】
2019110764.tif 000011
【図１０】
2019110764.tif 000012
【図１１】
2019110764.tif 000013
【図１２】
2019110764.tif 000014